(57)【特許請求の範囲】
【請求項１】
多層建築物の排水立て管に対して各階ごとに介装された排水集合管継手と、
この排水集合管継手に複数本接続された横枝管とを備え、
これら横枝管のうちの２本が前記排水集合管継手で略対向状態とされるとともに、少なくともいずれか一方の横枝管に排水が落下する落下部が形成された排水システムにおいて、
一方の前記横枝管のうち前記落下部より前記排水集合管継手側に形成された水平部に、該水平部の所定領域の上壁が内側に膨出されるとともに両側壁が外側に膨出された排水減速部が設けられたことを特徴とする排水システム。
【請求項２】
請求項１に記載の排水システムにおいて、
前記排水減速部は、その断面積が、水平部における排水減速部以外の領域の断面積に対し９０〜１１０％の範囲とされた排水システム。
【発明の詳細な説明】
【技術分野】
【０００１】
本発明は、多層建築物の排水立て管に対して各階ごとに介装された排水集合管継手と、この排水集合管継手に複数本接続された横枝管とを備えた排水システムに関する。
【背景技術】
【０００２】
集合住宅、ホテル、および、病院などの多層建築物においては、排水のために、各階を縦方向に貫いた排水立て管が配管されている。また、この排水立て管には各階ごとに排水集合管継手が介設され、それぞれの排水集合管継手に複数の横枝管が接続された構造となっている。例えば、多層建築物に使用された場合、横枝管は、一端が住居内に設置されているトイレ、風呂、流し、および、洗面台などの家庭用設備の排水管に接続され、また、他端が上記した排水集合管継手に接続されており、家庭用設備からの排水を排水集合管継手まで流すようにされている。
【０００３】
また、このような排水集合管継手には複数の横枝管の管口が略同じ高さで接続され、また、それらのうちの２本の横枝管が対向状態（相互の管口が対峙した状態）で接続されることも少なくない。このような接続状態で、トイレ排水などの勢いの強い排水が一方の横枝管から排水集合管継手へと流れると、排水の勢いが強いことから、排水が排水集合管継手を飛び越して他方の横枝管内に流入してしまうことがある。トイレ排水中には当然のことながら汚物が多量に含まれているため、トイレ排水が他方の横枝管内に流入したのち排水集合管継手に流れ落ちずそのまま残存すると、この他方の横枝管から屋内へと悪臭が上がってくるといった問題があった。
【０００４】
この対向する横枝管に勢いの強い排水が流入する仕組みについて、トイレ排水の２つの具体例を用いて説明する。
【０００５】
まず、図１３に示されるような壁排水式のトイレ１４０は、壁裏に排水の落下部１２０ａを有し、すなわち第１屈曲部１２４によって排水を落下させた後、床下の第２屈曲部１２５によって排水を水平方向に曲げて排水集合管継手１１０へと導くといった方式をとっている。このトイレ配管の排水は、第１屈曲部１２４での落下によって水勢が強くなった後、第２屈曲部１２５の内壁の曲面に沿って流れてしまい、強い水勢によって、図中矢符で示すように、上方向へとジャンプ（管頂部分への巻き上り）してしまう。また、壁排水式のトイレ配管は上述したように２つの屈曲部を有しており、第２屈曲部１２５から排水集合管継手１１０までの距離が短いため、後述する床排水式のトイレ配管（図１４参照）より水平部１２１が短くなってしまうことが多い。従って、上記のようにジャンプ（管頂部分への巻き上り）した排水が水平部１２１の管底に着地することなく排水集合管継手１１０を飛び越えてしまい、対向する横枝管１３０に流入してしまっていた。
【０００６】
また、図１４に示されるような床排水式のトイレ１４０には、サイフォン式と呼ばれる方式が多く用いられており、この方式においては排水の勢いが強くなるという特徴を有している。このトイレ排水は水勢が極めて強いため、対向する横枝管１３０の管口まで排水が到達して内部に流入したり、図中矢符で示すように、跳ねて一部が横枝管１３０の中に流入したりしてしまっていた。
【０００７】
そこで、このような対向する横枝管への排水の流入を防止するための排水集合管継手が特許文献１に提案されている。この排水集合管継手は、２つの管口を直交する向きに設けるとともに、そのうちの一方の管口に一体的にエルボー継手を設けるというものである。この発明においては、排水集合管継手に接続された２つの横枝管が対向しないため、トイレ排水などの勢いの強い排水が一方の横枝管から他方の横枝管内に流入するといったことがない。
【特許文献１】特開２００４−８４３９４号公報
【発明の開示】
【発明が解決しようとする課題】
【０００８】
しかしながら、多層建築物においては、排水集合管継手を設置するための配管スペースは限られており、上記した排水集合管継手は一体的にエルボー継手を有しその分体積が大きくならざるを得ないことから、配管スペースに収まりきらないという問題があった。
【０００９】
また、このような排水集合管継手を製造する際には、排水集合管継手とエルボー継手とを一体的に成形するため、複雑な形状の高価な金型が別途必要であり、製造コストが増加するといった問題があった。
【００１０】
さらに、一方の横枝管がエルボー継手を介して排水集合管継手に接続されているため、一方の横枝管と他方の横枝管とは管軸がずれた状態になってしまう。そのため、従来の排水集合管継手に横枝管が略対向状態で接続されたものと比較して、横枝管の配管の設計が制限される場合もあった。
【００１１】
本発明は係る実情に鑑みてなされたもので、その目的は、２本の横枝管を排水集合管継手に対向状態で接続することを可能としつつ、一方の横枝管からの排水が他方の横枝管に流入することを防止でき、限られた配管スペースに対応できるとともに、多層建築物における既存の排水集合管継手を用いることができる排水システムを提供することにある。
【課題を解決するための手段】
【００１２】
上記課題を解決するため、本発明の排水システムは、多層建築物の排水立て管に対して各階ごとに介装された排水集合管継手と、この排水集合管継手に複数本接続された横枝管とを備え、これら横枝管のうちの２本が前記排水集合管継手で略対向状態とされるとともに、少なくともいずれか一方の横枝管に排水が落下する落下部が形成された排水システムにおいて、一方の前記横枝管のうち前記落下部より前記排水集合管継手側に形成された水平部に、該水平部の所定領域の上壁が内側に膨出されるとともに両側壁が外側に膨出された排水減速部が設けられたことを特徴とする。
【００１３】
このような本発明によると、排水減速部は、水平部（略水平または多少の勾配を有している）の所定領域の上壁が内側に膨出されるとともに両側壁が外側に膨出されたものであるから、排水は、排水減速部の両側壁が幅広とされた部分で拡散し、幅狭へと戻る部分で両側壁に衝突することとなり、これによって排水の流速が減速する。従って、水勢の強い排水が、排水集合管継手を飛び越えて、対向する横枝管内に流入するといったことが減少する。
【００１４】
すなわち、壁排水タイプのトイレ配管において、第２屈曲部でジャンプする排水が、排水減速部における上部の内側に膨出した部分に衝突するため、排水はその水勢を弱めつつ管底に落下し、排水が排水集合管継手を飛び越えて対向する横枝管内に流入するといったことが発生しなくなる。
【００１５】
また、前記排水減速部は、その断面積が、水平部における排水減速部以外の領域の断面積に対し、９０〜１１０％の範囲とされるのが好ましい。
【００１６】
排水減速部の断面積の比率が９０％未満であると、排水が排水減速部において満水状態となって流れてしまうことがあるため、管内の満水状態が発生することで引き起こされるサイフォン現象によってトイレなどのトラップの封水までも排水してしまう虞がある。また、排水減速部の断面積の比率が１１０％を超えると、排水減速部の製造に必要な材料コストが増加してしまうため好ましくない。
【００１７】
また、本発明の排水システムは、多層建築物の排水立て管に対して各階ごとに介装された排水集合管継手と、この排水集合管継手に複数本接続された横枝管とを備え、これら横枝管のうちの２本が前記排水集合管継手で略対向状態とされた排水システムにおいて、少なくともいずれか一方の横枝管の水平部に、該水平部の所定領域を水平方向に蛇行させることにより形成された排水減速部が設けられたことを特徴とする。
【００１８】
このような本発明によると、排水減速部は、横枝管の水平部を所定領域において水平方向に蛇行させることにより形成されたものであるから、排水は排水減速部の側壁に衝突することとなり、排水の流速が弱められる。従って、水勢の強い排水が、排水集合管継手を飛び越えて、対向する横枝管内に流入するといったことが減少する。
【００１９】
また、前記排水減速部は、その流入側と流出側との管軸が略同一とされるとともに、前記排水減速部の一方の側壁が上断面視ほぼＶ字状で内側に突出され他方の側壁が上断面視ほぼ半円弧状で外側に突出されたものであってもよい。
【００２０】
この場合、排水減速部の流入側と流出側との管軸が略同一とされているため、従来の横枝管と同様の簡素な配管設計を行うことができる。
【００２１】
また、排水減速部の一方の側壁が上断面視ほぼＶ字状（４５°以下の角度）で内側に突出され他方の側壁が上断面視ほぼ半円弧状で外側に突出されたものであるから、横枝管の長さを短く形成することができ、横枝管の設置スペースが制限される場所においても横枝管を良好に設置することができる。
【００２２】
また、前記排水減速部は、その流入側と流出側との管軸が略同一とされるとともに、前記排水減速部の断面積が水平部における排水減速部以外の領域の断面積に対し９０〜１１０％の範囲とされ、且つ、前記排水減速部の流入側端部と流出側端部との距離が最短とされたものであってもよい。
【００２３】
この場合、排水減速部の流入側と流出側との管軸が略同一とされているため、従来の横枝管と同様の簡素な配管設計を行うことができる。
【００２４】
また、排水減速部の断面積が水平部における排水減速部以外の領域の断面積に対し９０〜１１０％の範囲とされ、且つ、排水減速部の流入側端部と流出側端部との距離が最短とされているため、横枝管の長さを短く形成することができ、横枝管の設置スペースが制限される場所においても横枝管を良好に設置することができる。
【００２５】
また、前記水平部における前記排水減速部以外の領域の管断面の投影面と、前記排水減速部の領域において排水減速部以外の領域の横枝管から最も大きく偏位した箇所での管断面の投影面との重複幅が、前記水平部における管内径の１／３以下とされたものであってもよい。
【００２６】
この場合、管壁に衝突せずに通過する排水がほとんどなくなるので排水の流速が減速される。従って、水勢の強い排水が、排水集合管継手を飛び越えて、対向する横枝管内に流入するといったことが減少する。
【００２７】
また、本発明の排水システムは、多層建築物の排水立て管に対して各階ごとに介装された排水集合管継手と、この排水集合管継手に複数本接続された横枝管とを備え、これら横枝管のうちの２本が前記排水集合管継手で略対向状態とされた排水システムにおいて、少なくともいずれか一方の横枝管の水平部に、該水平部の所定領域を水平方向にクランク状に屈曲させることにより形成された排水減速部が設けられたことを特徴とする。
【００２８】
このような本発明によると、排水減速部は、横枝管の水平部を所定領域において水平方向にクランク状に屈曲させることにより形成されたものであるから、排水は排水減速部の側部の管壁に衝突することとなり、排水の流速が弱められる。従って、水勢の強い排水が、排水集合管継手を飛び越えて、対向する横枝管内に流入するといったことが減少する。
【００２９】
また、前記水平部における前記排水減速部の流入側の管断面の投影面と、前記排水減速部の流出側の管断面の投影面との重複幅が、前記水平部における管内径の１／３以下とされたものであってもよい。
【００３０】
この場合、管壁に衝突せずに通過する排水がほとんどなくなるので排水の流速が減速される。従って、水勢の強い排水が、排水集合管継手を飛び越えて、対向する横枝管内に流入するといったことが減少する。
【００３１】
また、前記排水減速部は、その所定位置に旋回流を阻害する旋回流阻害障壁が設けられたものであってもよい。なお、ここで、旋回流とは、蛇行した排水減速部の流入側の管底が曲面であるために、排水減速部の流入側の管面から管壁に沿って排水が駆け上がってしまい、水勢がほとんど弱まることなく旋回しながら管軸方向に流れる排水のことをいう。
【００３２】
この場合、排水減速部の所定位置に旋回流を阻害する旋回流阻害障壁が設けられているため、旋回流は旋回流阻害障壁に衝突することとなり、これによって水勢が弱められ、最終的に排水の旋回が止まる。従って、水勢の強い排水が、排水集合管継手を飛び越えて、対向する横枝管内に流入するといったことを確実に防止することができる。
【発明の効果】
【００３３】
本発明の排水システムは、２本の横枝管を排水集合管継手に対向状態で接続することを可能としつつ、一方の横枝管からの排水が他方の横枝管に流入することを防止でき、限られた配管スペースに対応できるとともに、多層建築物における既存の排水集合管継手を用いることができるといった効果を奏する。
【発明を実施するための最良の形態】
【００３４】
以下、本発明の実施の形態について、図面を参照して説明する。
【００３５】
［実施の形態１］
本発明を壁排水タイプのトイレ配管に適用した例について、図１乃至図５に基づいて説明する。
【００３６】
図１（ａ）は本実施の形態における排水システムを示す側面図、図１（ｂ）は排水システムを示す平面図、図２は図１（ａ）に対応する断面図、図３乃至図５は排水減速部の各実施例を示す断面図であり、これら図３乃至図５において、それぞれ、（ａ）は側断面図、（ｂ）は水平断面図、（ｃ）はＡ−Ａ線断面図、および、（ｄ）はＢ−Ｂ線断面図である。
【００３７】
本実施の形態の排水システム１は、排水集合管継手１０と、対向する２本の横枝管２０、３０とを備えている。
【００３８】
上記排水集合管継手１０は、多層建築物などの各階を縦方向に貫いて配管された排水立て管５０に対して各階ごとに介設されたものである。排水集合管継手１０には後述する横枝管２０、３０が複数本接続されており、そのうち２本の横枝管２０、３０の管口が排水集合管継手１０内で略同じ高さで対向状態となっている。
【００３９】
上記横枝管２０は、一端が住居内のトイレ、風呂、流し、および、洗面台などの家庭用設備の排水管に接続され、他端が排水集合管継手１０に接続されている。また、横枝管２０には、排水が落下する落下部２０ａが形成され、横枝管２０のうち落下部２０ａより排水集合管継手１０側には床６１と床スラブ６２との間に水平部２１が形成されている。
【００４０】
上記水平部２１には、水平部２１の所定領域に排水減速部２２が設けられている。
【００４１】
上記排水減速部２２は、図３に示されるように、排水減速部２２の上壁２２ａが内側に膨出されるとともに両側壁２２ｂ、２２ｃが外側に膨出された形状となっている。これにより、排水は、排水減速部２２の両側壁２２ｂ、２２ｃが幅広とされた流入口２２ｄで拡散し、幅狭へと戻る流出口２２ｅで両側部の管壁２２ｂ、２２ｃに衝突することとなり、これによって排水の流速が減速する。また、図２に示すように、トイレ４０から出た排水は、図中矢符で示すように、落下部２０ａで落下し第２屈曲部２５によってジャンプするが、排水は排水減速部２２における上部の内側に膨出した部分２２ａに衝突し、これによってその水勢を弱めつつ管底に落下することとなり、排水が排水集合管継手１０を飛び越えて対向する横枝管３０内に流入することがない。
【００４２】
ここで、排水減速部２２は、その断面積が、水平部２１における排水減速部２２以外の領域の断面積に対し、９０〜１１０％の範囲とされるのが好ましい。排水減速部２２の断面積の比率が９０％未満であると、排水が排水減速部２２において満水状態となって流れてしまうことがあるため、管内の満水状態が発生することで引き起こされるサイフォン現象によってトイレ４０などのトラップの封水までも排水してしまう虞がある。また、排水減速部２２の断面積の比率が１１０％を超えると、排水減速部２２の製造に必要な材料コストが増加してしまうため好ましくない。
【００４３】
上記した排水減速部２２としては、上壁が内側に膨出されるとともに両側壁が外側に膨出された形状であれば、特に限定するものではなく、上記図３に示した例に限らず、例えば、図４又は図５に示されるような形状のものも用いることができる。
【００４４】
図４に示す排水減速部２２は、図３に示したものに比べて膨出部分２２ａの長さをおよそ半分としている。このように、排水減速部２２の長さを短くすることにより、横枝管２０の管軸方向の長さが短くなってその分設置スペースを必要としなくなるので、より設置の自由度が高いものとなる。
【００４５】
図５に示す排水減速部２２は、膨出部分２２ａを側断面視ほぼＶ字状に形成することにより、膨出部分２２ａの長さを図３に示したもののおよそ４分の１の長さとしている。したがって、上記した図３及び図４に示したものよりも排水減速部２２の長さがより短くなり、その分横枝管２０の管軸方向の長さが短くなって、さらに設置スペースを小さくすることができるとともに、より一層設置の自由度が高いものとなる。
【００４６】
［実施の形態２］
本発明を床排水タイプのトイレ配管に適用した例について、図６乃至図１２に基づいて説明する。
【００４７】
図６は本実施の形態における排水システムを示し、図６（ａ）は排水システムを示す側面図であり、図６（ｂ）は排水システムを示す平面図である。
【００４８】
本実施の形態の排水システム１は、排水集合管継手１０と、対向する２本の横枝管２０、３０とを備えている。
【００４９】
なお、本実施の形態の排水システム１は、前述した実施の形態１のものと横枝管２０の水平部２１に設けられた排水減速部２２を除いて同じ構成であるので、同一部材には同一符号を付してその説明を省略し、相違点である排水減速部２２についてのみ説明する。
【００５０】
本実施の形態における排水減速部２２は、図６（ｂ）および図７に示すように、横枝管２０の水平部２１を所定領域において水平方向に蛇行させることにより形成されたものである。これにより、図６（ｂ）において矢符で示すように、排水が排水減速部２２の管壁に衝突することとなり、排水の流速が弱められるため、水勢の強い排水が、排水集合管継手１０を飛び越えて、対向する横枝管３０内に流入するといったことが減少する。
【００５１】
上記排水減速部２２としては、水平方向に蛇行されたものであれば特に限定するものではなく、例えば、図８に示すように排水減速部２２の流入側２２ｄから流出側２２ｅに亘って管内径がほぼ一定のもの、あるいは図９に示すように蛇行部２２ｆが２箇所のもの、などがあげられる。
【００５２】
また、上記した図８に示すように、排水減速部２２は、その流入側２２ｄと流出側２２ｅとの管軸が略同一とされるとともに、排水減速部２２の一方の側壁が上断面視ほぼＶ字状で内側に突出され他方の側壁が上断面視ほぼ半円弧状で外側に突出されるのが好ましい。この場合、排水減速部２２の流入側２２ｄと流出側２２ｅとの管軸が略同一とされているため、従来の横枝管２０と同様の簡素な配管設計を行うことができる。また、排水減速部２２の一方の側壁が上断面視ほぼＶ字状で内側に突出され他方の側壁が上断面視ほぼ半円弧状で外側に突出されたものであるから、横枝管２０の長さを短く形成することができ、横枝管２０の設置スペースが制限される場所においても横枝管２０を良好に設置することができる。
【００５３】
また、排水減速部２２は、その流入側２２ｄと流出側２２ｅとの管軸が略同一とされるとともに、排水減速部２２の断面積が水平部２１における排水減速部２２以外の領域の断面積に対し９０〜１１０％の範囲とされ、且つ、排水減速部２２の流入側２２ｄ端部と流出側２２ｅ端部との距離が最短とされるのが好ましい。この場合、排水減速部２２の流入側２２ｄと流出側２２ｅとの管軸が略同一とされているため、従来の横枝管２０と同様の簡素な配管設計を行うことができる。また、排水減速部２２の断面積が水平部２１における排水減速部２２以外の領域の断面積に対し９０〜１１０％の範囲とされ、且つ、排水減速部２２の流入側２２ｄ端部と流出側２２ｅ端部との距離が最短とされているため、横枝管２０の長さを短く形成することができ、横枝管２０の設置スペースが制限される場所においても横枝管２０を良好に設置することができる。
【００５４】
また、上記した図７乃至図９のいずれの例にあっても、図７に示すように、水平部２１における排水減速部２２以外の領域の管断面２６の投影面２６ａと、排水減速部２２の領域において排水減速部２２以外の領域の横枝管２０から最も大きく偏位した箇所での管断面２７の投影面２７ａとの重複幅２８が、水平部２１における管内径２９の１／３以下とされることが好ましい。これにより、管壁に衝突せずに通過する排水がほとんどなくなるので排水の流速が減速される。従って、水勢の強い排水が、排水集合管継手１０を飛び越えて、対向する横枝管３０内に流入するといったことが減少する。
【００５５】
さらに、上記排水減速部２２としては、上記したような蛇行タイプのものに限らず、例えば図１０に示すように、横枝管２０の水平部２１を所定領域において水平方向にクランク状に屈曲させることにより形成したものであってもよい。
【００５６】
この場合にあっても、図１０に示すように、水平部２１における排水減速部２２の流入側２２ｄの管断面２６の投影面２６ａと、排水減速部２２の流出側２２ｅの管断面２７の投影面２７ａとの重複幅２８が、水平部２１における管内径２９の１／３以下とされるのが好ましい。これにより、管壁に衝突せずに通過する排水がほとんどなくなるので排水の流速が減速される。従って、水勢の強い排水が、排水集合管継手１０を飛び越えて、対向する横枝管３０内に流入するといったことが減少する。
【００５７】
ところで、排水減速部２２を、上述したように、蛇行またはクランク状に屈曲させることで形成した場合にあっては、排水減速部２２内において排水が旋回流（水勢がほとんど弱まることなく旋回しながら管軸方向に流れる排水）となる傾向が強い。このため、本実施の形態における排水減速部２２には、その所定位置に旋回流を阻害する旋回流阻害障壁２３を設けるとよい。
【００５８】
すなわち、図１２に示すように、直進してきた水勢の強い排水は、排水減速部２２の流入側２２ｄの管底から管壁に沿って駆け上がり、その水勢をほとんど弱めることなく旋回流Ｘとなり流出側２２ｅまで旋回しながら流れていく。また、排水減速部２２の流入側２２ｄで管底に沿って斜めに進行した排水も、排水減速部２２の流出口付近で水勢をほとんど弱めることなく旋回流Ｙとなり流出側２２ｅまで旋回しながら流れていく。その後、旋回流ＸとＹとは逆方向に旋回しているため、排水減速部２２の流出側２２ｅの上部で互いに衝突Ｗし、排水集合管継手１０へと直進する流れＺとなる。この流れＺは、管軸方向への流速の減速量が少ないため、トイレ４０からの排水の水勢が極めて強い場合には、排水集合管継手１０を飛び越えて、対向する横枝管３０内に流入することがあった。
【００５９】
そこで、図１１に示すように、排水減速部２２の流出口２２ｅの管壁上部に、図１２に示す旋回流Ｘと略直交する向きに第１の旋回流阻害障壁２３ａを、また旋回流Ｙと略直交する向きに第２の旋回流阻害障壁２３ｂを設けると、第１の旋回流阻害障壁２３ａは旋回流Ｘを阻害し、また、上記第２の旋回流阻害障壁２３ｂは旋回流Ｙを阻害する。これによって排水の水勢が弱められ最終的に旋回が止まることとなる。従って、水勢の強い排水が、排水集合管継手１０を飛び越えて、対向する横枝管３０内へ流入することを確実に防止することができる。
【００６０】
ここで、床排水タイプのトイレ４０には、便器４１内の汚水を排水する際に、流水によって旋回渦を便器４１内に形成させ、便器４１の表面を洗浄しながら排水させるタイプのものがある。このようなトイレ配管では、この旋回渦によって、排水が横枝管２０内の排水減速部２２の前で旋回流を形成してしまうことがある。そこで、この排水が流れ方向に対して反時計回りに旋回する場合には、排水減速部２２を排水の流れ方向に対して左側に蛇行またはクランク状に屈曲させることで形成することで旋回流を消滅させることができる。また、これとは逆に、排水が時計回りに旋回する場合には、排水減速部２２を、排水の流れ方向に対して右側に蛇行またはクランク状に屈曲させることで形成することで旋回流を消滅させることができる。従って、水勢の強い排水が、排水集合管継手１０を飛び越えて、対向する横枝管３０内へ流入することを確実に防止することができる。
【００６１】
なお、旋回流阻害障壁２３としては、旋回流Ｘ，Ｙを阻止できれば設置位置を特に限定するものではなく、例えば、排水減速部２２の流入側２２ｄ、中間位置２２ｇ、流出側２２ｅのいずれかの管壁に１つ設けたり、または、複数設けたりすることができる。なお、この旋回流阻害障壁２３はできるだけ上方の管壁に設けるのが好ましく、これにより、排水や排水とともに流れる固形物などが旋回流阻害障壁２３で滞留するといったことがない。
【００６２】
また、実施の形態２で説明した排水減速部２２を、実施の形態１で説明した床排水タイプのトイレ配管に用いてもよい。
【図面の簡単な説明】
【００６３】
【図１】本発明の実施形態１における排水システムを示し、図１（ａ）は側面図、図１（ｂ）は平面図である。
【図２】本発明の実施形態１における排水システムを示す図１（ａ）に対応する断面図である。
【図３】本発明の実施形態１における排水減速部を示し、図３（ａ）は側断面図、図３（ｂ）は水平断面図、図３（ｃ）は図３（ａ）におけるＡ−Ａ線断面図、図３（ｄ）は図３（ａ）におけるＢ−Ｂ線断面図である。
【図４】本発明の実施形態１における排水減速部の他の例を示し、図４（ａ）は側断面図、図４（ｂ）は水平断面図、図４（ｃ）は図４（ａ）におけるＡ−Ａ線断面図、図４（ｄ）は図４（ａ）におけるＢ−Ｂ線断面図である。
【図５】本発明の実施形態１における排水減速部のさらに他の例を示し、図５（ａ）は側断面図、図５（ｂ）は水平断面図、図５（ｃ）は図５（ａ）におけるＡ−Ａ線断面図、図５（ｄ）は図５（ａ）におけるＢ−Ｂ線断面図である。
【図６】本発明の実施形態２における排水システムを示し、図６（ａ）は側面図、図６（ｂ）は平面図である。
【図７】本発明の実施形態２における排水減速部を示し、図７（ａ）は断面図、図７（ｂ）は投影面の重複幅を説明する図である。
【図８】本発明の実施形態２における排水減速部の他の例を示す断面図である。
【図９】本発明の実施形態２における排水減速部のさらに他の例を示す断面図である。
【図１０】本発明の実施形態２における排水減速部のさらに他の例を示し、図１０（ａ）は断面図、図１０（ｂ）は投影面の重複幅を説明する図である。
【図１１】本発明の実施形態２における排水減速部のさらに他の例を示す断面図である。
【図１２】排水減速部における旋回流を示す説明図である。
【図１３】従来の壁排水のトイレの配管を示す概略図である。
【図１４】従来の床排水のトイレの配管を示す概略図である。
【符号の説明】
【００６４】
１        排水システム
１０      排水集合管継手
２０      横枝管
２０ａ    落下部
２１      水平部
２２      排水減速部
２３      旋回流阻害障壁
２３ａ    第１の旋回流阻害障壁
２３ｂ    第２の旋回流阻害障壁
３０      対向する横枝管
４０      トイレ
５０      排水立て管
【図１】
0004810285.tif 000002
【図２】
0004810285.tif 000003
【図３】
0004810285.tif 000004
【図４】
0004810285.tif 000005
【図５】
0004810285.tif 000006
【図６】
0004810285.tif 000007
【図７】
0004810285.tif 000008
【図８】
0004810285.tif 000009
【図９】
0004810285.tif 000010
【図１０】
0004810285.tif 000011
【図１１】
0004810285.tif 000012
【図１２】
0004810285.tif 000013
【図１３】
0004810285.tif 000014
【図１４】
0004810285.tif 000015